(57)【要約】  本発明は、挿入フィーチャ（Ｗ）、とりわけコマーシャル挿入フィーチャを有する信号（Ｓ）、とりわけビデオ信号の記録及び再生のための装置及び方法であって、前記信号（Ｓ）及び前記挿入フィーチャ（Ｗ）のための少なくとも１つの記憶装置（５）、並びに前記挿入フィーチャ（Ｗ）の自動認識のための少なくとも１つの装置（６）を持ち、更に、或る挿入フィーチャ（Ｗ）に割り当てられ得るパラメータのための記憶装置（７）、認識された前記挿入フィーチャ（Ｗ）に割り当てられた前記パラメータをチェックするチェック及び制御ユニット（８）、並びに或るパラメータを割り当てられる認識された挿入フィーチャ（Ｗ）の自動選択スキップのための装置（９）を持つ記録及び再生のための装置及び方法に関する。
2005512413.tif 000002
【特許請求の範囲】
【請求項１】
挿入フィーチャ、とりわけコマーシャル挿入フィーチャを持つ信号、とりわけビデオ信号を記録及び再生する方法であって、前記挿入フィーチャが、自動的に認識され、パラメータが、認識された前記挿入フィーチャに割り当てられ、前記パラメータに基づいて前記挿入フィーチャが選択的にスキップされることを特徴とする方法。
【請求項２】
前記認識された挿入フィーチャに割り当てられる前記パラメータが変更され得ることを特徴とする請求項１に記載の方法。
【請求項３】
前記挿入フィーチャの選択的なスキップが現在の時間に依存して行われることを特徴とする請求項１に記載の方法。
【請求項４】
前記挿入フィーチャの選択的なスキップが再生の相対時間に依存して行われることを特徴とする請求項１に記載の方法。
【請求項５】
前記挿入フィーチャの前に記録又は再生される前記信号の区間の如何なる繰り返しも、これらの挿入フィーチャの後にこれらの挿入フィーチャと共に自動的にスキップされることを特徴とする請求項１に記載の方法。
【請求項６】
前記挿入フィーチャの自動認識が前記信号の記録中に行われることを特徴とする請求項１に記載の方法。
【請求項７】
前記挿入フィーチャの自動認識が画像認識によって行われることを特徴とする請求項１に記載の方法。
【請求項８】
前記挿入フィーチャの自動認識がオーディオ信号の評価によって行われることを特徴とする請求項１に記載の方法。
【請求項９】
前記挿入フィーチャの自動認識がデータの評価によって行われることを特徴とする請求項１に記載の方法。
【請求項１０】
前記挿入フィーチャの自動認識が、該挿入フィーチャと関連づけられた識別符号の認識によって行われることを特徴とする請求項１に記載の方法。
【請求項１１】
選択的にスキップされる前記挿入フィーチャが、一時的に記憶され、或る他の時間に再生されることを特徴とする請求項１に記載の方法。
【請求項１２】
前記信号の再生中に付加的な挿入フィーチャが再生されることを特徴とする請求項１に記載の方法。
【請求項１３】
再生される前記信号に依存して前記付加的な挿入フィーチャの再生が行われることを特徴とする請求項１２に記載の方法。
【請求項１４】
前記付加的な挿入フィーチャが変更され得ることを特徴とする請求項１２に記載の方法。
【請求項１５】
前記信号の再生中、前記挿入フィーチャ及びあらゆる付加的な挿入フィーチャの数及びタイプが検出され、記憶されることを特徴とする請求項１に記載の方法。
【請求項１６】
挿入フィーチャ、とりわけコマーシャル挿入フィーチャを持つ信号、とりわけビデオ信号のための記録再生装置であり、前記信号及び前記挿入フィーチャのための少なくとも１つの記憶装置、並びに前記挿入フィーチャの自動認識のための少なくとも１つの装置を持ち、更に、或る挿入フィーチャに割り当てられ得るパラメータのための記憶装置、認識された前記挿入フィーチャに割り当てられた前記パラメータをチェックするチェック及び制御ユニット、並びに或るパラメータが割り当てられる認識された挿入フィーチャの自動選択スキップのための装置を持つ記録再生装置。
【請求項１７】
前記パラメータを入力する入力装置が設けられることを特徴とする請求項１６に記載の記録再生装置。
【請求項１８】
前記認識された挿入フィーチャをスキップするための前記チェック及び制御ユニットに接続されるタイムユニットが設けられることを特徴とする請求項１６に記載の記録再生装置。
【請求項１９】
前記挿入フィーチャの後に繰り返される該挿入フィーチャの前の信号区間の認識のための装置と、これらの認識された信号区間の自動スキップのための装置とが設けられることを特徴とする請求項１６に記載の記録再生装置。
【請求項２０】
前記認識装置が画像認識装置によって形成されることを特徴とする請求項１６に記載の記録再生装置。
【請求項２１】
前記認識装置がオーディオ認識装置によって形成されることを特徴とする請求項１６に記載の記録再生装置。
【請求項２２】
前記認識装置がデータ評価装置によって形成されることを特徴とする請求項１６に記載の記録再生装置。
【請求項２３】
挿入フィーチャの中間記憶のための記憶装置が設けられることを特徴とする請求項１６に記載の記録再生装置。
【請求項２４】
付加的な挿入フィーチャを再生する装置が設けられることを特徴とする請求項１６に記載の記録再生装置。
【請求項２５】
再生される前記信号の認識のための装置が設けられ、前記装置が前記付加的な挿入フィーチャを再生する装置に接続されることを特徴とする請求項２４に記載の記録再生装置。
【請求項２６】
再生された前記挿入フィーチャのタイプ及び数を記憶するデータベースが設けられることを特徴とする請求項１６に記載の記録再生装置。
【発明の詳細な説明】
【技術分野】
【０００１】
本発明は、挿入フィーチャ(insert features)、とりわけコマーシャル挿入フィーチャを持つ信号、とりわけビデオ信号を記録及び再生する方法であって、前記挿入フィーチャが自動的に認識される方法に関する。
【０００２】
本発明はまた、挿入フィーチャ、とりわけコマーシャル挿入フィーチャを持つ信号、とりわけビデオ信号のための記録再生装置であって、前記信号及び前記挿入フィーチャのための少なくとも１つの記憶装置と、前記信号の記録中又は再生中の前記挿入フィーチャの自動認識のための少なくとも１つの装置とを持つ記録再生装置に関する。
【背景技術】
【０００３】
本発明は、詳細には、例えばビデオレコーダ、DVD（デジタル多用途ディスク）レコーダ、ハードディスクレコーダ及び同様の記録再生装置で用いられる記録及び再生方法のような記録及び再生方法に関する。記録及び再生されるべき信号は、とりわけ、一方で、例えば長編映画(feature film)などの実際の有用な信号を含むが、挿入フィーチャ、とりわけコマーシャル挿入フィーチャも含むビデオ信号である。例えばテレビ放送局の資金を調達するために、挿入フィーチャ、とりわけコマーシャル挿入フィーチャの割合はますます高くなるであろう。この量のコマーシャル挿入フィーチャは、最終消費者にほとんど受け入れられない。この理由のため、ビデオ信号の再生中にコマーシャル挿入フィーチャを認識し、前記コマーシャル挿入フィーチャを自動的にスキップする装置が知られている。例えば、米国特許公報第US5987210A号は、記録されたビデオ信号の再生中に自動的に行われるが、誤った記録を避けるために記録中には行われない広告ブロックの除去(blending out)のための方法及び装置を記載している。ここでは、ビデオ信号の再生中に、フラグを立てられたシーケンスがスキップされ得るように、信号の記録中に、認識信号が検出され、認識の時間が記憶される。ビデオレコーダにおいては、スキップする間、画像は青画像に切り替えられ、音声はオフ状態にされ、早送りが選択される。
【０００４】
挿入フィーチャ、例えば広告ブロックの自動認識は、重ね合わされた会社のロゴの認識若しくは或る信号特性の認識を介して、又はシーン変更頻度に基づいて行われ得る。
【０００５】
挿入フィーチャは、とりわけ情報及びサービスのプロバイダの資金を調達するために用いられることから、このタイプのスキップ処理及びスキップ装置は、挿入フィーチャがもはや挿入フィーチャの対象グループに到達せず、故に、このタイプの挿入フィーチャを用いる広告主は現れなくなり、従って、このタイプの情報及びサービスのプロバイダは資金を受け取れなくなるであろうことを結果としてもたらす。
【発明の開示】
【発明が解決しようとする課題】
【０００６】
本発明の目的は、信号を記録及び再生する方法であって、前記方法によって、エンドユーザに過剰な数の挿入フィーチャが供給されないように、選択的に決定される挿入フィーチャ、とりわけコマーシャル挿入フィーチャが前記エンドユーザに供給され得る方法を提供することにある。更に、前記方法は、このタイプの挿入フィーチャによって情報及びサービスのプロバイダの資金調達を確保するためのものである。
【０００７】
本発明の別の目的は、信号、とりわけビデオ信号のための記録再生装置であって、前記記録再生装置によって、挿入フィーチャ、とりわけコマーシャル挿入フィーチャがエンドユーザに選択的に供給され、従って、前記挿入フィーチャの出所(originator)が情報及びサービスのプロバイダ又は前記記録再生装置の製造業者に資金を供給する動機が作成され得る記録再生装置の作成にある。
【課題を解決するための手段】
【０００８】
前記方法に関する限り、本発明の目的は、認識された挿入フィーチャにパラメータが割り当てられ、前記パラメータに基づいて、前記挿入フィーチャが選択的にスキップされることで達成される。このようにして、特定の条件を満たす、例えばテレビ局に財政支援を行うサービスプロバイダなどからの挿入フィーチャは、パラメータの割り当てによってフラグを立てられ、斯くして、この種の挿入フィーチャの自動スキップを防止し得る。これは、前記挿入フィーチャのプロバイダに対して、エンドユーザにも挿入フィーチャ、例えばコマーシャル挿入フィーチャが伝送されるであろうことを保証する。前記パラメータの割り当ては、様々な観点から行われ得る。例えば、エンドユーザに、例えば、費用のかかる映画の記録及び再生に対して様々な購入価格が課金され、前記購入価格に依存して、組み込まれる前記挿入フィーチャに特定のパラメータが割り当てられることは可能である。この方法においては、最も高い購入価格を支払うエンドユーザは、例えば、如何なる挿入フィーチャもない映画を供給され得るが、相対的に低い購入価格を支払うエンドユーザは挿入されるコマーシャルなどを受け入れなければならないであろう。これの見返りに、前記挿入フィーチャの出所である会社が、前記映画のより高い購入価格との差額分の資金を供給するであろう。前記挿入フィーチャの選択的なスキップは、前記信号の記録中、再生中、又は前記装置が使用されていない、例えばスタンバイモードにある期間中にも行われ得る。
【０００９】
この場合に、好ましくは、認識された挿入フィーチャに割り当てられるパラメータは変更可能であり、故に、状態は当該状況に適応され得る。
【００１０】
更に、挿入フィーチャの選択的なスキップは、現在の時間に依存して行われ得る。これは、或る時刻若しくは或る曜日に異なる挿入フィーチャを再生すること、又は或る曜日若しくは或る時刻に或る挿入フィーチャのスキップを許可することを可能にするであろう。
【００１１】
挿入フィーチャの選択的なスキップはまた、再生の相対時間に依存して行われ得る。故に、例えば、エンドユーザがより高い購入価格を支払う場合には、映画の開始時及び終了時の挿入フィーチャは許可され、間にはさまれる挿入フィーチャのみがスキップされる。
【００１２】
本発明の別の特徴によれば、挿入フィーチャの前に記録又は再生される信号の区間の如何なる繰り返しも、該挿入フィーチャの後に該挿入フィーチャと共に自動的にスキップされることが規定されている。しばしば、顧客が長編映画などの筋を見失わないように、長編映画などの或るシーンは、広告ブロックによって時間がとられた後に前記顧客に該シーンを思い出させるために、該広告ブロックの後に繰り返される。挿入フィーチャが選択的にスキップされる場合には、信号又はビデオ信号のこのような繰り返しは、不必要であろうし、エンドユーザを混乱させさえもするであろう。この種の繰り返しの認識は、前記信号の中間記憶及び或る画像区間の比較又は他の例においてはオーディオ信号の比較によって行われ得る。
【００１３】
挿入フィーチャの自動認識は、信号の記録中に行われ得る。しかしながら、他の例においては、この認識が前記信号の再生中にしか行われないようにすることは可能である。だが、これは、前記信号の中間記憶を必要とするであろう。
【００１４】
上記のように、挿入フィーチャの自動認識は、例えば或る会社のロゴを用いる画像認識によって、又はこの種のコマーシャル挿入フィーチャなどの間の画像に対する典型的な変化によって行われ得る。 
【００１５】
他の例においては又はこれに加えて、挿入フィーチャの認識はまた、オーディオ信号の評価によって行われ得る。
【００１６】
更に、挿入フィーチャの認識はまた、信号中のデータの評価によって行われ得る。
【００１７】
更に、挿入フィーチャに、固有の識別符号(identification)が割り当てられ、前記識別符号に基づいて前記挿入フィーチャが認識されることが可能である。
【００１８】
例えば、映画内に配設された挿入フィーチャを別の時間、例えば該映画の開始時又は終了時に動かすために、選択的にスキップされる挿入フィーチャを一時的に記憶し、異なる時間に該挿入フィーチャを再生することは好都合である。このようにして、例えば、信号の再生中に或る会社の挿入フィーチャを何回も再生することも可能である。更に、例えば、或る挿入フィーチャが長編映画などの適当な箇所で再生されるように前記信号に前記挿入フィーチャの再生を結合することも可能である。例えば、或るメーカの車の登場の後に、このメーカの車のコマーシャル挿入フィーチャが続くかもしれず、又は或る音楽の再生の後に、自動的に、音楽出版社からのコマーシャル挿入フィーチャが続くかもしれない。これは、エンドユーザによるこの種の挿入フィーチャの受け入れを増大させ、この種の挿入フィーチャからの利益を増大させるであろう。
【００１９】
更に、プログラムされた挿入フィーチャに加えて、付加的な挿入フィーチャを信号の再生中に再生することも可能である。これらの付加的な挿入フィーチャは適当な記憶媒体に予め記憶されるであろう。
【００２０】
更に、これらの付加的な挿入フィーチャが、再生時期に適応され得るように変更可能である場合に有利である。これは、昔記録した信号に、より最新の挿入フィーチャ、例えば現在の製品又はサービスに関するコマーシャル挿入フィーチャが供給されることも可能にするであろう。
【００２１】
後の課金の目的のため及び統計的な目的のため、信号の再生中、挿入フィーチャ及びあらゆる付加的な挿入フィーチャの数及びタイプが取得され、記憶される場合に有利である。このようにして、このタイプの挿入フィーチャの製作者に、本当の再生された挿入フィーチャの数、又は広告主などによる対応する支払い額さえも通知され得る。
【００２２】
本発明の目的はまた、挿入フィーチャ、とりわけコマーシャル挿入フィーチャを持つ信号、とりわけビデオ信号のための記録再生装置であり、前記信号及び前記挿入フィーチャのための少なくとも１つの記憶装置、並びに前記挿入フィーチャの自動認識のための少なくとも１つの装置を持つ記録再生装置であって、或る挿入フィーチャに割り当てられ得るパラメータのための記憶装置、並びに認識された前記挿入フィーチャに割り当てられたパラメータをチェックするチェック及び制御ユニットも具備し、更に、或るパラメータを割り当てられる前記認識された挿入フィーチャの自動選択スキップのための装置を具備する記録再生装置によって達成される。このタイプの記録再生装置は、例えば磁気テープを用いる従来のビデオレコーダとして、又は他の例においてはDVD（デジタル多用途ディスク）レコーダとして、又はハードディスクレコーダによって実施され得る。前記チェック及び制御ユニットは、前記信号の記録中又は再生中にそれ自体は既知である方法で挿入フィーチャが認識されるや否や、前記認識された挿入フィーチャに割り当てられたあらゆるパラメータをチェックする。これに続いて、これらの認識された挿入フィーチャは、前記再生中にスキップされる、又はスキップされない。例えば、或る会社が前記記録再生装置に資金を供給する場合には、この会社の挿入フィーチャに、ユーザによるこの挿入フィーチャの手動スキップを防止する或るパラメータが割り当てられ得る。これは、前記会社の挿入フィーチャが、確実に再生され、該会社の対応する利益を達成するであろうことを保証するであろう。この場合に、前記挿入フィーチャの自動認識は、前記信号の記録中若しくは再生中に、又は前記装置がスタンバイモードで使用されていない期間中にも行われ得る。前記認識された挿入フィーチャの自動選択スキップも前記信号の記録中又は再生中に行われ得る。
【００２３】
有利なことには、パラメータが変更されることを可能にする該パラメータを入力する入力装置が記録再生装置上に設けられ得る。この場合に、前記パラメータの入力には、エンドユーザが或る挿入フィーチャをスキップすることが出来ないように適当にプロテクトがかけられなければならない。しかしながら、このタイプのパラメータの入力は挿入フィーチャの或る変形体を選択するのに用いられ得る。このようにして、前記エンドユーザは、例えば、供給される様々なカテゴリの広告の中から選び得る。前記入力装置は、例えば、ビデオレコーダのリモコンによって形成され得る。 
【００２４】
有利なことには、認識された挿入フィーチャをスキップする装置に接続されるタイムユニット(time unit)が設けられ、故に、例えば現在の時刻又は曜日に依存する挿入フィーチャの時間選択スキップも行われ得る。例えば長編映画の相対時間に依存して前記挿入フィーチャのスキップを行うことも可能である。
【００２５】
本発明の別の特徴によれば、挿入フィーチャがスキップされる場合に、挿入フィーチャの前に再生され、挿入フィーチャの再生後に繰り返されるこのタイプの信号区間が２度再生されることを防止するために、前記挿入フィーチャの後に繰り返される該挿入フィーチャの前の信号区間の認識のための装置が設けられ、認識されたこれらの信号区間の自動スキップのための装置が設けられる。
【００２６】
この場合に、一方の挿入フィーチャの認識及び他方の繰り返される信号区間の認識は、画像認識装置及び／又はオーディオ認識装置及び／又はデータ評価装置によってなされ得る。
【００２７】
挿入フィーチャの中間記憶のための記憶装置が設けられる場合には、同じ挿入フィーチャの多数回の再生が行われるかもしれず、他方では、他の供給源からの付加的な挿入フィーチャが記憶され、再生のために準備されるかもしれない。
【００２８】
この種の付加的な挿入フィーチャの再生のために、有利なことには、前記付加的な挿入フィーチャを導入する装置が設けられる。
【００２９】
更に、再生される信号の認識のための装置が設けられ、前記装置が、付加的な挿入フィーチャを導入する装置に接続される場合には、特定の挿入フィーチャの導入は前記信号に依存して行われるであろう。このようにして、例えば、或る製品に関するフィーチャを、映画の中でのこれらの製品の登場直後に再生することが可能である。
【００３０】
再生された挿入フィーチャのタイプ及び数を記憶するデータベースが設けられる場合には、再生データの統計的評価が行われるかもしれず、前記挿入フィーチャのプロバイダの課金はそれに基づくかもしれない。
【００３１】
図面に示されている実施例を参照して本発明について更に記載するが、本発明はこれらの実施例に限定されない。
【発明を実施するための最良の形態】
【００３２】
図１は、時間ｔの関数としての信号Ｓの概略的なブロック図である。信号Ｓ、例えばビデオ信号は、或る時間ｔ＝０において始まり、或る継続期間Δｔ後に終了する。信号は、或る多数の挿入フィーチャＷを含み、挿入フィーチャＷは、通常、信号の再生中に再生されるブロックの形態にまとめられる。挿入フィーチャは、通常、所与の継続期間ΔｔＷを持ち、この継続期間ΔｔＷは、例えばテレビコマーシャル挿入の場合は、通常２０秒である。ブロック中のこれらの挿入フィーチャＷは通常相違し、これに参照符号Ａ乃至Ｋが付けられている。当然、挿入フィーチャＷはまた、例えば、信号Ｓ中に２回現れるＣ、Ａ及びＢが示されているように信号Ｓの再生中に何回も配設され得る。
【００３３】
図２は、挿入フィーチャＷが認識され、スキップされた信号Ｓの概略的なブロック図である。それに応じて、信号Ｓの継続期間は、スキップされた挿入フィーチャＷの継続期間の分だけ削減される。図１に示されている例においては、これらは、１４タイムスロットの挿入フィーチャＷであり、それ故、信号の継続期間はΔｔ−１４・ΔｔＷとなる。
【００３４】
図３は、挿入フィーチャＣに、信号Ｓの再生中のこれらの挿入フィーチャＣのスキップを防止する適当なパラメータが割り当てられている本発明による方法の変形例を示している。それに応じて、信号Ｓの再生中、挿入フィーチャＣは再生されるのに対して、他の挿入フィーチャＡ、Ｂ、Ｄ乃至Ｋはスキップされる。例えば、挿入フィーチャＣの製作者が、信号Ｓをブロードキャストするテレビ局に財政支援を行う、又はこの種の記録再生装置の開発に助成金を支給する場合に、この事例が起こる。それ故、挿入フィーチャＣの製作者は、実際にエンドユーザのために再生され、利益を達成する該製作者の挿入フィーチャに間違いなく関心を持つ。
【００３５】
図４は、挿入フィーチャＣが、一時的に記憶され、別の時間、この場合には信号Ｓの開始時及び終了時に再生される図３の方法の変形例を示している。これは、例えば映画が挿入フィーチャＣによって中断されることを防止する。
【００３６】
図５は、フラグを立てられた挿入フィーチャＣの再生回数が削減され、この挿入フィーチャＣが一回しか再生されない本発明による方法の変形例を示している。
【００３７】
対照的に、例えば、変形例の図６では、挿入フィーチャＣの数が３つに増やされている。
【００３８】
図７は、許容挿入フィーチャＣが所与の再生継続期間ΔｔＸ後にしか許されない変形例を示しており、故に、図示されている例は信号Ｓ中に挿入フィーチャＣを１つしか含まない。
【００３９】
図８は、ｎ・ΔｔＷの継続期間を持つ挿入フィーチャを含む信号Ｓの一部を概略的に示している。通常、この種の挿入フィーチャＷの後には、ΔｔＳの継続期間を持つ信号Ｓの一部が、この信号の一貫性を保障するために繰り返される。本発明による方法においては、挿入フィーチャＷにおいて繰り返されるこのタイプの信号Ｓが、挿入フィーチャＷと同様に認識され、スキップされ、純粋な信号Ｓ、例えば長編映画の完全な繰り返しのない再生が保障される図９の信号Ｓをもたらす。
【００４０】
図１０は、例えば、ビデオレコーダ、ＤＶＤレコーダ又はハードディスクレコーダによって形成される本発明による記録再生装置１の概略的なブロック図である。アンテナ２、ケーブルなどから出て来るビデオ信号は、例えばアナログ若しくはデジタルのチューナ又は適当なインターネットのインタフェースによって形成され得る入力回路３に入る。次いで、信号は、記憶装置５において記憶される前にデータ削減のための装置４に行き得る。データ削減のための装置４中の各内部機能ブロックの前、後又は後に、信号は、信号Ｓに含まれる挿入フィーチャＷの認識のための装置６に行く。認識装置６における挿入フィーチャＷの認識後にチェック及び制御ユニット８においてチェックされる、或る挿入フィーチャに割り当てられ得るパラメータは、他の記憶装置７に記憶される。他の記憶装置７は、明らかに、記憶装置５と一体であり得る。チェック及び制御ユニット８におけるチェックの結果に依存して、信号Ｓの再生又は認識された挿入フィーチャＷのスキップ若しくは挿入が、チェック及び制御ユニット８によって開始される。信号は、デコーダによって形成され得る出力回路９から、例えばテレビのような表示装置１０に渡される。入力装置１１は、認識ユニット６、チェック及び制御ユニット８並びに出力回路９のために記憶装置７に記憶されるパラメータを変更する又は入力するのに用いられ得る。更に、認識された挿入フィーチャＷをスキップするチェック及び制御ユニット８に接続されるタイムユニット１２が設けられ得る。
【００４１】
更に、挿入フィーチャＷの前にあり、挿入フィーチャＷの後に繰り返される信号区間の認識のための装置１３と、再生中にこれらの認識された信号区間ΔｔＳを自動的にスキップするための装置とが設けられ得る。前記装置は、認識された挿入フィーチャＷのスキップのためのチェック及び制御ユニット８によって実施され得る。挿入フィーチャＷ及び信号区間ΔｔＳの認識のための認識装置６及び１３は、画像認識装置、オーディオ認識装置又はデータ評価装置によって形成され得る。認識装置６及び１３はまた組み合わされてもよく、この場合には、信号パスは適当な方法で切り替えられなければならない。所望の信号Ｓ及び全体として又は部分的に望ましくない挿入フィーチャＷのシーケンスの準備並びに繰り返しシーケンスの除去は、記録中、再生中、又は前記装置が使用されていない（スタンバイモードにある）期間中に行われ得る。挿入フィーチャＷの中間記憶のために、記憶装置５及び７とは異なる独立した記憶装置１４が設けられてもよく、記憶装置１４は、他の供給源、例えばインターネットからも挿入フィーチャＷを供給され得る。装置の製造中に予めプログラムされた広告コンテンツを記憶することも可能である。記憶装置１４に記憶された付加的な挿入フィーチャＷを再生するためのこのタイプの装置の図がブロック１５によって表されている。付加的な挿入フィーチャＷの導入が信号Ｓ中の或るシーンに依存して行われることを確実にするために、信号Ｓの認識のための装置が設けられてもよく、この装置は、挿入フィーチャの自動認識のための装置６又は１３によって実施され得る。更に、再生された挿入フィーチャＷのタイプ及び数を記憶するデータベース１６が設けられ得る。データバンク１６の評価は、顧客の信頼を高めるために、又は他のサービスのための決算(settlement)として用いられ得る。記憶装置５、７、１４及び１６は１つの記憶装置に統合され得る。
【００４２】
挿入フィーチャに割り当てられるパラメータは、既に、記録再生装置の製造段階において、例えばＲＯＭ（読み出し専用メモリ）に記憶され得ることに注意されたい。同様に、この種のパラメータは、記録再生装置によって、その接続部（アンテナ接続部、インターネット接続部、電話接続部）の１つを介して受け取られ、前記装置に記憶され得る。
【００４３】
本発明による記録再生装置はまた、前記装置によって挿入されたコマーシャル挿入フィーチャが再生された後に再生される直前の信号のΔｔＳの継続期間を持つ短い繰り返しを挿入するように設計され得ることに注意されたい。
【図面の簡単な説明】
【００４４】
【図１】或る多数の異なる挿入フィーチャを含む信号の時間に依存する概略的なブロック図である。
【図２】認識された挿入フィーチャが自動的にスキップされた信号の概略的なブロック図である。
【図３】本発明の変形例に基づいて或る挿入フィーチャが選択的にスキップされる信号の概略的なブロック図である。
【図４】本発明の変形例に基づいて或る挿入フィーチャが選択的にスキップされる信号の概略的なブロック図である。
【図５】本発明の変形例に基づいて或る挿入フィーチャが選択的にスキップされる信号の概略的なブロック図である。
【図６】本発明の変形例に基づいて或る挿入フィーチャが選択的にスキップされる信号の概略的なブロック図である。
【図７】本発明の変形例に基づいて或る挿入フィーチャが選択的にスキップされる信号の概略的なブロック図である。
【図８】挿入フィーチャの後の繰り返しが認識され、スキップされる信号の区間の概略図である。
【図９】挿入フィーチャの後の繰り返しが認識され、スキップされる信号の区間の概略図である。
【図１０】本発明による記録再生装置の概略的なブロック図である。
【図１】
2005512413.tif 000003
【図２】
2005512413.tif 000004
【図３】
2005512413.tif 000005
【図４】
2005512413.tif 000006
【図５】
2005512413.tif 000007
【図６】
2005512413.tif 000008
【図７】
2005512413.tif 000009
【図８】
2005512413.tif 000010
【図９】
2005512413.tif 000011
【図１０】
2005512413.tif 000012
【国際調査報告】
2005512413.tif 000013
2005512413.tif 000014
2005512413.tif 000015